(57)【特許請求の範囲】
【請求項１】
車載電子機器の前面パネルの側面に連結されたスライダを前後に案内する車載電子機器用案内構造において、
前記スライダを前後に案内するガイドと、
前記ガイドに固定され、前記ガイドの前端から前方に延出した弾性材と、
前記弾性材の上部又は下部に設けられ、前後左右によって規定された面に対して傾斜して前記スライダの上又は下に接する当接片と、を備えることを特徴とする車載電子機器用案内構造。
【請求項２】
前記弾性材が左右方向について可撓性を有するとともに上下方向について剛性を有することを特徴とする請求項１に記載の車載電子機器用案内構造。
【請求項３】
前記当接片が前後方向に幅をもって前記スライダの上又は下に当接することを特徴とする請求項１又は２に記載の車載電子機器用案内構造。
【請求項４】
前面パネルと、
前記前面パネルの側面上部を上下に案内する案内部を有するシャーシと、
前記前面パネルの側面下部に回転可能に連結されたスライダと、
前記シャーシに固定され、前記スライダを前後に案内するガイドと、
前記ガイドに固定され、前記ガイドの前端から前方に延出した弾性材と、
前記弾性材の上部又は下部に設けられ、前後左右によって規定された面に対して傾斜して前記スライダの上又は下に接する当接片と、を備えることを特徴とする車載電子機器。
【請求項５】
車載電子機器の前面パネルの側面に連結されたスライダをガイドによって前後に案内し、前記ガイドに固定された弾性材を前記ガイドの前端から前方に延出させ、前記弾性材の上部又は下部に設けられた当接片を前後左右によって規定された面に対して傾斜させて前記当接片を前記スライダの上又は下に当接させることを特徴とするがたつき防止方法。
【発明の詳細な説明】
【技術分野】
【０００１】
本発明は、車載電子機器用案内構造、車載電子機器及びがたつき防止方法に関する。
【背景技術】
【０００２】
カーナビゲーションシステム、カーオーディオ、車載テレビといった車載電子機器においては、表示パネルが電子機器本体の前面に設けられている。表示パネルの表示画面の視認性を向上させるために、表示パネルの表示面が上に向くように後倒させる技術が開発されている。具体的には、図５に示すように、表示パネル１２０の上部を案内溝によって上下に案内し、表示パネル１２０の下部にスライダ１５１を回転可能に連結し、そのスライダ１５１をガイド部１４０によって前後にスライドさせている。
【０００３】
車両の走行によって車載電子機器に振動が加わると、スライダ１５１ががたつくので、そのがたつきを防止するために、板バネ１６０によってスライダ１５１を下に押し付けている。
【０００４】
また、スライダのがたつきを防止するための別の手段として、押圧ローラをスライダの上に当てて、バネの弾性力によって押圧ローラを下方に向けてスライダに押し付けることが行われている（例えば、特許文献１参照）。
【特許文献１】特開２００４−１７５３４６号公報
【発明の開示】
【発明が解決しようとする課題】
【０００５】
しかしながら、図５に示した板バネ１６０はその形状により上下方向に撓むようになっているため、大きな振動が加わると、板バネ１６０が変形してスライダ１５１ががたつくことがある。そのがたつきを抑えるために、板バネ１６０による下への押し付け力を高めると、スライダ１５１をスムーズに移動させることができない。また、大きな振動によりスライダ１５１が板バネ１６０に対して左右に滑るので、スライダ１５１の左右のがたつきを抑えることができず、左右方向のがたつきを抑えるために他の機構が必要となってしまう。
特許文献１に記載された技術でも、大きな振動によって押圧ローラが上下に振動子、スライダががたつき、押圧ローラの押圧力を高めると、スライダをスムーズに移動させることができない。更には、スライダがローラに対して左右に滑り、スライダの左右のがたつきを抑えられない。
【０００６】
そこで、本発明は上記課題を解決しようとしてなされたものであり、スライダのがたつきを防止しつつスライダをスムーズに移動させることができる車載電子機器用案内構造、車載電子機器及びがたつき防止方法を提供することを目的とする。
【課題を解決するための手段】
【０００７】
以上の課題を解決するために、請求項１に記載の車載電子機器用案内構造が、車載電子機器の前面パネルの側面に連結されたスライダを前後に案内する車載電子機器用案内構造において、前記スライダを前後に案内するガイドと、前記ガイドに固定され、前記ガイドの前端から前方に延出した弾性材と、前記弾性材の上部又は下部に設けられ、前後左右によって規定された面に対して傾斜して前記スライダの上又は下に接する当接片と、を備えることを特徴とする。
【０００８】
請求項２に記載の車載電子機器用案内構造は、請求項１に記載の車載電子機器用案内構造において、前記弾性材が左右方向について可撓性を有するとともに上下方向について剛性を有することを特徴とする。
【０００９】
請求項３に記載の車載電子機器用案内構造は、請求項１又は２に記載の車載電子機器用案内構造において、前記当接片が前後方向に幅をもって前記スライダの上又は下に当接することを特徴とする。
【００１０】
請求項４に記載の車載電子機器が、前面パネルと、前記前面パネルの側面上部を上下に案内する案内部を有するシャーシと、前記前面パネルの側面下部に回転可能に連結されたスライダと、前記シャーシに固定され、前記スライダを前後に案内するガイドと、前記ガイドに固定され、前記ガイドの前端から前方に延出した弾性材と、前記弾性材の上部又は下部に設けられ、前後左右によって規定された面に対して傾斜して前記スライダの上又は下に接する当接片と、を備えることを特徴とする。
【００１１】
請求項５に記載のがたつき防止方法が、車載電子機器の前面パネルの側面に連結されたスライダをガイドによって前後に案内し、前記ガイドに固定された弾性材を前記ガイドの前端から前方に延出させ、前記弾性材の上部又は下部に設けられた当接片を前後左右によって規定された面に対して傾斜させて前記当接片を前記スライダの上又は下に当接させることを特徴とする。
【発明の効果】
【００１２】
本発明によれば、前後左右によって規定された面に対して傾斜した当接片がスライダの上又は下に当接しているので、スライダの上下のがたつきを抑えることができる。また、当接片によってスライダを下に押さえつけているのではなく、スライダが当接片に単に受けられているだけなので、スライダに必要以上の負荷を与えず、スライダをスムーズに前後に移動させることができる。また、当接片が傾斜しているので、スライダの左右のがたつきも防止することができる。
【発明を実施するための最良の形態】
【００１３】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１４】
図１及び図２は、車載電子機器１の側面図である。図１及び図２に示すように、車載電子機器１は、前面パネルとしての表示パネル２０と、表示パネル２０の左右に配置された側板３０を有するシャーシとを備える。
【００１５】
表示パネル２０は液晶ディスプレイパネルであり、表示パネル２０の前面が表示画面２１となっている。表示パネル２０の左右両側面の上部にローラ２２が取り付けられ、表示パネル２０に対してローラ２２がその軸心周りに回転可能に設けられている。
【００１６】
表示パネル２０の左右両側面の下部に軸２３が凸設され、軸２３がパネルスライダベース５０の前部に挿入され、パネルスライダベース５０に対して軸２３がその軸心周りに回転可能に設けられている。このパネルスライダベース５０の左右両側面には、ＰＯＭ（ポリアセタール）、ＰＣ（ポリカーボネイト）／ＡＢＳ（アクリロニトリル−ブタジエン−スチレンのコポリマー）アロイといった樹脂材料からなる角棒状のスライダ５１が固定されている。スライダ５１が、パネルスライダベース５０を介して、軸２３の軸心周りに回転可能に表示パネル２０に連結されている。
【００１７】
シャーシの左右の側板３０の間に車載電子機器の本体が取り付けられている。側板３０の内側の面であってその面の前部に案内溝３１が凹設され、案内溝３１は上下方向に延在している。左右の側板３０の間に表示パネル２０が配置され、ローラ２２が案内溝３１に挿入される。ローラ２２が案内溝３１に沿って上下に移動可能に設けられ、表示パネル２０の上部が案内溝３１によって上下に案内される。なお、図１及び図２では、図面を見やすくするために側板３０を２点鎖線で示すが、実際には２点鎖線で示された部材が実線で示された部材よりも紙面手前側に配置されている。
【００１８】
次に、スライダ５１を前後に案内する車載電子機器用案内構造について説明する。
案内溝３１よりも後方において、側板３０の内側の面にガイドレール４０が固定され、ガイドレール４０が前後方向に延在している。ガイドレール４０は亜鉛メッキ鉄といった金属材料からなり、図３及び図４に示すように、前後方向に垂直な断面のガイドレール４０の形状がコ字状に形成されている。ここで、図３は表示パネル２０の右方の車載用電子機器用案内構造の斜視図であり、図４は図１の切断線IV−IVに沿った面の矢視断面図である。
【００１９】
スライダ５１が前後に延在してガイドレール４０に挿入されている。スライダ５１がガイドレール４０によって案内されることによって、スライダ５１がガイドレール４０に沿って前後に移動可能に設けられている。なお、スライダ５１はパネルスライダベース５０とともにモータ等の駆動機構によって前後に移動される。
【００２０】
ガイドレール４０の側面には、弾性材としての板バネ６０がカシメ加工４１により固定されている。板バネ６０がステンレス鋼といった金属材料からなり、板バネ６０がガイドレール４０の前端よりも前方に延出してスライダ５１の外側に配置されている。板バネ６０は、その形状によって、左右方向に弾性的に撓むように可撓性を有するとともに上下方向について剛性を有し、左右方向に比較して上下方向の撓みは殆どない。ガイドレール４０の前端よりも前方において、板バネ６０の上部が前後方向の折り曲げ線に沿って内側に折り曲げられ、これにより板バネ６０の上部に当接片６１が形成されている。当接片６１は前後左右によって規定された水平面に対して傾斜しており、具体的には外側から内側にかけて上るように傾斜している。当接片６１はスライダ５１の上の角に当接している。具体的には、当接片５１が前後方向に幅をもってスライダ５１の上の角に線接触している。
【００２１】
次に、車載電子機器１の動作について説明する。
駆動機構によってスライダ５１及びパネルスライダベース５０が前方へ移動すると、ローラ２２が案内溝３１に沿って下方へ移動し、これにより表示パネル２０は表示画面２１が上に向いていくように後倒する。一方、駆動機構によってスライダ５１及びパネルスライダベース５０が後方へ移動すると、ローラ２２が案内溝３１に沿って上方へ移動し、これにより表示パネル２０は表示画面２１が前に向いていくように起立する。
【００２２】
以上のように構成された車載電子機器１は車両の室内のダッシュボードに搭載されて用いられる。そのため、車載電子機器１には車両の走行中に加振される。ここで、スライダ５１の上の角が当接片６１に当接しているので、スライダ５１の上下のがたつきを抑えることができ、車載電子機器１が加振されてもラトル音の発生を抑えることができる。一方、当接片６１によってスライダ５１を下に押さえつけているのではなく、スライダ５１が当接片６１に単に受けられているだけなので、スライダ５１に必要以上の負荷を与えていない。そのため、表示パネル２０を傾倒・起立させるためにスライダ５１を前後に動かす際に、スライダ５１を前後に移動させるための動作負荷を抑えることができる。
【００２３】
また、スライダ５１を前後に移動させた場合に、スライダ５１に上方向への振動加重が作用してスライダ５１から当接片６１に作用する荷重が必要以上に大きくなると、板バネ６０が外側へ撓むので、スライダ５１を前後に移動させるための動作負荷を抑えることができる。
【００２４】
また、当接片６１が水平面に対して傾斜しているので、スライダ５１の左右方向のがたつきも抑えることができる。
また、当接片５１は前後方向に幅をもってスライダ５１に線接触しているので、スライダ５１がどの位置にあってもスライダ５１の上下のがたつきを抑えることができる。スライダ５１が前に延び出た位置にある場合、当接片５１によるスライダ５１のがたつき防止が特に有効である。
【００２５】
なお、本発明は、上記実施の形態に限定されることなく、本発明の趣旨を逸脱しない範囲において、種々の改良並びに設計の変更を行っても良い。
【００２６】
上記実施形態では、当接片６１が板バネ６０の上部に形成されているが、板バネ６０の下部が前後方向の折り曲げ線に沿って内側に折り曲げられることによって別の当接片が板バネ６０の下部に形成されても良い。別の当接片が板バネ６０の下部に形成されている場合、その当接片は前後左右によって規定された水平面に対して傾斜しており、具体的には外側から内側にかけて下るように傾斜し、その当接片はスライダ５１の下の角に線接触する。板バネ６０の下部に当接片が形成されている場合、上の当接片６１はあってもなくても良い。
【００２７】
また、当接片６１の表面に樹脂を形成したり、当接片６１に潤滑油を塗布したりすることによって、当接片６１とスライダ５１との摺動摩擦を低めても良い。
また、当接片６１にローラを転動可能に取り付け、ローラをスライダ５１の上の角に当接させても良い。板バネ６０の下部に当接片を形成した場合も同様に、その当接片にローラを取り付けても良い。
また、スライダ５１の上の角を面取して、当接片６１をその面に面接触させても良い。板バネ６０の下部に当接片を形成した場合も同様に、スライダ５１の下の角を面取して、その面に当接片を面接触させても良い。
【００２８】
また、上記実施形態では、前面パネルとして表示パネル２０を例に挙げて説明したが、電子機器本体の前面を覆う蓋パネルを前面パネルとしても良い。
【図面の簡単な説明】
【００２９】
【図１】表示パネルの表示面が前に向いた状態における開閉装置の側面図である。
【図２】表示パネルの表示面が斜め上前方に向いた状態における開閉装置の側面図である。
【図３】表示パネルの右方を示した斜視図である。
【図４】図１の切断線IV−IVに沿った面の矢視断面図である。
【図５】従来の開閉装置において表示パネルの右方を示した斜視図である。
【符号の説明】
【００３０】
１  車載電子機器
２０  表示パネル
３０  側板
３１  案内溝
４０  ガイド
５１  スライダ
６０  板バネ
６１  当接片
【図１】
0004793072.tif 000002
【図２】
0004793072.tif 000003
【図３】
0004793072.tif 000004
【図４】
0004793072.tif 000005
【図５】
0004793072.tif 000006